(57)【要約】【課題】平坦な治療台に置いた際に外部からのわずかな力によっても転がりにくい歯科ハンドピース用滑り止め具、及び、転がりにくく、把持した際に違和感や滑りやすさを感じることのない歯科ハンドピース用滑り止め具を提供する。【解決手段】滑り止め具１０は、歯科用ハンドピースの把持部に装着するための装着部１とその装着部の外周面１４に設けられた複数の滑り止め小片２とを有すること；前記装着部の外周面１４の直径が最大となる位置における切断面での前記装着部１の外周面１４に対して外接するように正多角形を仮想的に描いた場合、その切断面における前記滑り止め小片２の外周面１４を一部に含む仮想真円の中心点が、前記装着部１の中心点と前記正多角形の頂点と結んだ仮想の等分割線の線上に配置されるように、前記滑り止め小片２が配置されていること；及び前記滑り止め小片２の最頂点が、前記多角形の頂点に配置されるか、又は前記仮想の等分割線を前記頂点から更に延長した線上に配置されること；を特徴とする。【選択図】図２
2020146094.tif 000002
【特許請求の範囲】
【請求項１】
歯科用ハンドピースの把持部に装着することが可能な滑り止め具であって、
前記滑り止め具が、前記把持部に装着するための装着部とその装着部の外周面に設けられた複数の滑り止め小片とを有すること；
前記滑り止め小片の長手方向と前記装着部の長手方向の中心軸とが同じ方向を向いていること；
前記装着部の外周面の直径が最大となる位置における切断面での前記装着部の外周面に対して外接するように正多角形を仮想的に描いた場合に、その切断面における前記滑り止め小片の外周面を一部に含む仮想真円の中心点が、前記装着部の中心点と前記正多角形の頂点とを結んだ仮想の等分割線の線上に配置されるように、前記滑り止め小片が配置されていること；及び
前記滑り止め小片の最頂点が、前記正多角形の頂点に配置されているか、又は前記仮想の等分割線を前記頂点から更に延長した線上に配置されていること；
を特徴とする、前記滑り止め具。
【請求項２】
前記正多角形の一辺が３．０ｍｍ〜５．０ｍｍである、請求項１に記載の滑り止め具。
【発明の詳細な説明】
【技術分野】
【０００１】
本発明は、歯科用ハンドピースの把持部に装着することが可能な滑り止め具に関する。
【背景技術】
【０００２】
従来から、図１４に示すような、歯科用ハンドピース５０が知られている（例えば、特許文献１の図１参照）。
この歯科用ハンドピース５０は、グリップ部５１を覆うように弾性チューブ５３が設けられている。特に、この弾性チューブ５３の表面には、滑り止めのための凹凸模様（具体的には、網目模様）が施されている。
【先行技術文献】
【特許文献】
【０００３】
【特許文献１】実公昭５７−１０７５１１号公報
【発明の概要】
【発明が解決しようとする課題】
【０００４】
本発明者は、従来の上記歯科用ハンドピースに関して、以下のような欠点を発見した。
弾性チューブ５３が設けられており、更にグリップ部５１からヘッド部５５にかけて外観視で曲がっていないような直線型の歯科用ハンドピース５０の場合には、その直線型の歯科用ハンドピース５０を平坦な治療台に置いた際に、その歯科用ハンドピース５０に外部からほんの少しの力が加わっただけで、歯科用ハンドピース５０が転がってしまうことがある。
また、図１４に示すような弾性チューブ５３が網目模様の場合では、歯科用ハンドピース５０の持ち易さには、依然として、違和感があり、滑りやすさを感じてしまうことがある。
更に、歯科用ハンドピース５０のヘッド部５５に内蔵されているベアリングに注入されているベアリング用油がヘッド部５５から漏れて、弾性チューブ５３に図１４に示す矢印ａの方向から油が弾性チューブ５３に流れ込んだ場合には、弾性チューブ５３の網目模様の目の部分（凹部）に油が溜まってしまい、これによって弾性チューブ５３が非常に滑りやすくなってしまう。
また更に、滑り止め用弾性チューブにおける網目模様の目（凹部）においてゴミが溜まりやすくなってしまう。
【０００５】
本発明者は、特に、平坦な治療台に置いた際に外部からのわずかな力によっても転がりにくい歯科ハンドピース用滑り止め具を開発することに成功した。
また、転がりにくく、更に把持した際に違和感や滑りやすさを感じることのない歯科ハンドピース用滑り止め具も開発することに成功した。
更に、これらの歯科ハンドピース用滑り止め具は、ベアリング用油が流れ込んだとしても網目模様の弾性チューブと比較して滑りにくく、滑り止め小片においてゴミが溜まりにくいものでもある。
【課題を解決するための手段】
【０００６】
前記の課題は、本発明による、歯科用ハンドピースの把持部に装着することが可能な滑り止め具であって、
前記滑り止め具が、前記把持部に装着するための装着部とその装着部の外周面に設けられた複数の滑り止め小片とを有すること；
前記滑り止め小片の長手方向と前記装着部の長手方向の中心軸とが同じ方向を向いていること；
前記装着部の外周面の直径が最大となる位置における切断面での前記装着部の外周面に対して外接するように正多角形を仮想的に描いた場合に、その切断面における前記滑り止め小片の外周面を一部に含む仮想真円の中心点が、前記装着部の中心点と前記正多角形の頂点とを結んだ仮想の等分割線の線上に配置されるように、前記滑り止め小片が配置されていること；及び
前記滑り止め小片の最頂点が、前記正多角形の頂点に配置されているか、又は前記仮想の等分割線を前記頂点から更に延長した線上に配置されていること；
を特徴とする、前記滑り止め具によって解決することができる。
本発明による滑り止め具の好ましい態様によれば、前記正多角形の一辺が３．０ｍｍ〜５．０ｍｍである。
【発明の効果】
【０００７】
本発明による歯科ハンドピース用滑り止め具は、特に、平坦な治療台に置いた際に外部からのわずかな力によっても転がりにくいものである。
また、本発明による歯科ハンドピース用滑り止め具は、転がりにくく、把持した際に違和感や滑りやすさを感じることのないものでもある。
更に、これらの歯科ハンドピース用滑り止め具は、ベアリング用油が流れ込んだとしても網目模様の弾性チューブと比較して滑りにくく、更にゴミが溜まりにくいものでもある。
【図面の簡単な説明】
【０００８】
【図１】本発明による滑り止め具を歯科用ハンドピースに装着する前後の側面図である。
【図２】本発明による滑り止め具を前方側及び後方側から観察した場合の斜視図である。
【図３】本発明による滑り止め具を装着した歯科用ハンドピースの使用方法を示す斜視図である。
【図４】本発明による滑り止め具を装着した歯科用ハンドピースを平坦な治療台に仮置きした状態を示す斜視図である。
【図５】滑り止め具の側面図及び後方側から観察した場合の斜視図である。
【図６】滑り止め小片の外観形状を示す斜視図である。
【図７】滑り止め小片における外周面と装着部の外周面とが交わる領域の好ましい態様の説明図である。
【図８】滑り止め小片の装着部への配置方法を説明した図である。
【図９】滑り止め小片の装着部への配置方法を説明した図である。
【図１０】滑り止め小片の装着部への配置方法を説明した図である。
【図１１】６個の滑り止め小片を配置した図である。
【図１２】１２個の滑り止め小片を配置した図である。
【図１３】１８個の滑り止め小片を配置した図である。
【図１４】従来の弾性チューブ付き歯科用ハンドピースの側面図である。
【発明を実施するための形態】
【０００９】
以下、本発明による滑り止め具を添付図面に沿って説明するが、本発明は、この添付図面に示す態様に限定されるものではない。
本明細書において、位置関係を示す用語（例えば、前方及び後方）は、特に断らない限り、本発明による滑り止め具を装着して歯科用ハンドピースを通常の方法で使用している状態での位置関係について用いるものとする。具体的には、歯科用工具（例えば、スケーリングチップ）が存在する方向が前方であり、歯科用ハンドピースの本体部が存在する方向が後方である。
【００１０】
図１は、本発明による滑り止め具１０を歯科用ハンドピース４０に装着する前後の側面図である。
歯科用ハンドピース４０は、図１（ａ）に示すように、把持部４１と本体部４３とを主に含んでいる。歯科用ハンドピース４０の前方先端部には、例えばスケーリングチップ４５が取り付けられる。
本発明による滑り止め具１０は、図１（ｂ）に示すように、歯科用ハンドピース４０の把持部４１に装着することができる（例えば、着脱可能に装着することができる）。
【００１１】
図２は、本発明による滑り止め具１０を前方側及び後方側から観察した場合の斜視図である。
滑り止め具１０は、装着部１と複数の滑り止め小片２とを含んでいる。滑り止め具１０は、公知の材料（例えば、弾性樹脂素材、ゴム材料、又はシリコーンゴム）及び公知の方法を使用して製造することができる。
装着部１は、外観視で、テーパー部分を含む略円筒状の形状とすることができる。テーパー部分は、歯科用ハンドピース４０の把持部４１の形状に応じて、前方部のみに設けることも、前方部から中間部にかけて設けることも、又は前方部から後方部にかけて設けることもできる。
装着部１には、歯科用ハンドピース４０の把持部４１に滑り止め具１０を装着するための装着用開口部１２が、前方端部から後方端部にかけて設けられている。その装着用開口部１２は、装着収容面としての内周面１３によって形成されている。この内周面１３の形状は、歯科用ハンドピース４０の把持部４１の外周形状と略同一である。
また、装着部１は、装着収容面としての内周面１３とは反対側において、複数の滑り止め小片２を担持するための担持面としての外周面１４を有する。
【００１２】
複数の滑り止め小片は、装着部１の外周面１４に設けられている。滑り止め小片２の各々は、同一形状であることが好ましい。それらの滑り止め小片２の長手方向（図２（ａ）に示す矢印Ａ）と、装着部１の長手方向中心軸の方向（図２（ａ）に示す一点鎖線Ｂ）とは、同じ方向を向いている。
隣り合う滑り止め小片どうしは、それぞれ、一定の間隔（図２（ａ）に示す矢印Ｃの距離）を置いて設けられている。
【００１３】
滑り止め具１０を装着した歯科用ハンドピース４０は、図３に示すように使用することができる。
具体的には、親指の腹、人差し指の腹、及び中指の背の合計３点で滑り止め具１０を（鉛筆で把持するように）把持して、滑り止め具１０を装着した歯科用ハンドピース４０を使用することができる。
特に、歯科用ハンドピース４０をしっかり把持したい場合には（すなわち、スケーリングチップ４５の回転（図３（ａ）に示す矢印Ｄの方向の回転）を防止したい場合には）、図３（ａ）に示すように、滑り止め小片２どうしの間（図２（ａ）に示す矢印Ｃの距離）の空間に親指の腹、人差し指の腹、及び中指の背の合計３点を配置することによって、この目的を達成することができる。滑り止め小片２どうしの間に親指の腹、人差し指の腹、及び中指の背の合計３点を配置することを考慮すると、滑り止め小片２どうしの間の空間は少なくとも３つ存在することが好ましい。すなわち、滑り止め小片２は、少なくとも６個存在することが好ましい。言い換えると、隣り合う滑り止め小片２が少なくとも３組存在することが好ましい。
これとは逆に、スケーリングチップ４５の繊細な操作（図３（ｂ）に示す矢印Ｅの方向の繊細な操作）を行いたい場合には、図３（ｂ）に示すように、親指の腹、人差し指の腹、及び中指の背の合計３点を滑り止め小片２が設けられていない滑り止め具１０の前方側に配置することによって、この目的を達成することができる。
【００１４】
滑り止め具１０を装着した歯科用ハンドピース４０は、後述のように滑り止め小片２を特定の位置に配置しているので、平坦な治療台にこの歯科用ハンドピース４０を仮置きした際に、図４に示す矢印Ｆの方向にこの歯科用ハンドピース４０が転がることはない。
【００１５】
滑り止め具１０は、図５（ａ）に示すように、前方部（図５（ａ）に示すＧ１の領域）には滑り止め小片２を設けないことが好ましい。この理由としては、図３（ｂ）に示すような、繊細な操作を行うためである。
滑り止め具１０の長手方向の長さは、歯科用ハンドピース４０の把持部４１の形状によって適宜変更することができる。
Ｇ１の領域の長手方向の長さは、滑り止め具１０の長手方向の長さを３４ｍｍとした場合には、１２ｍｍ〜１４ｍｍ、特に１３ｍｍが好ましい。
Ｇ２の領域の長手方向の長さは、滑り止め具１０の長手方向の長さを３４ｍｍとした場合には、０ｍｍ〜１ｍｍ、特に１ｍｍが好ましい。
滑り止め小片２を設ける領域（図５（ａ）に示すＨの領域）の長手方向の長さは、滑り止め具１０の長手方向の長さを３４ｍｍとした場合には、１９ｍｍ〜２２ｍｍ、特に、２０ｍｍが好ましい。
【００１６】
滑り止め具１０の装着部１の厚み（図５（ｂ）に示す矢印Ｉの距離）は、好ましくは０．５ｍｍ〜１．５ｍｍである。
【００１７】
滑り止め小片２は、図６（ａ）に示すように、長手方向の中心点２０を通過する（仮想真円における円周の一部である）円弧Ｊの大きさと、その中心点２０の前方側及び後方側における（仮想真円における円周の一部である）円弧Ｋ１，Ｋ２，Ｋ３，Ｋ４の大きさとを略同一とすることができる。もちろん、前方端部及び後方端部における円弧の大きさは、円弧Ｊ及び円弧Ｋ１，Ｋ２，Ｋ３，Ｋ４よりも小さくなっている。これによって、滑り止め小片２は、装着部１の外周面１４に滑らかにつなげることができる。
また、図６（ｂ）に示すように、長手方向の中心点２０を境として、前方側及び後方側に向かって滑り止め小片２の高さを徐々に低くすることもできる。具体的には、長手方向の中心点２０を通過する（仮想真円における円周の一部である）円弧Ｊの大きさが一番大きくなり、その中心点２０から前方側及び後方側に向かって（仮想真円における円周の一部である）円弧Ｋ１，Ｋ２，Ｋ３，Ｋ４の大きさが徐々に連続して小さくなっている。すなわち、中心点２０を通過する仮想真円の直径が一番大きくなり、前方側及び後方側に向かって、仮想真円の直径が徐々に小さくなっていく。これによって、滑り止め小片２は、装着部１の外周面１４に滑らかにつなげることもできる。
もちろん、長手方向の任意の位置を境として、滑り止め小片２の高さを徐々に低くすることもできる。
滑り止め小片２における外周面２４と装着部１の外周面１４とが交わる領域については、図７に示すように、ｒ（この交わる領域を一部として含む仮想真円Ｌの半径）は、０．５〜１．０、特に、０．７５とすることが好ましい。これによって、滑り止め具１０にはゴミが溜まることはなく、装着部１に対する滑り止め小片２の強度を向上させることができる（すなわち、装着部１から滑り止め小片２がもげないようにすることができる）。
滑り止め具１０は、図２に示すように網目模様ではないので、ベアリングから油が漏れても、網目模様のような目の部分（凹部）に油が溜まることは無い。
【００１８】
次に、転がり防止及び／又は握り易さを考慮した、装着部１に対する滑り止め小片２の配置の仕方を説明する。
本発明による滑り止め具１０の特徴の１つは、滑り止め小片２の配置が、装着部１の外周面に対して外接するように仮想的に描いた正多角形を使用して決定されているところにある。
（１）最初に、装着部１の外周面の直径が最大となる位置を決定する。
具体的には、歯科用ハンドピース４０の把持部４１の形状を考慮して装着部１の形状を決定した後に、この形状において、前記装着部１の外周面１４の直径が最大となる位置を決定する。
例えば、図８（ａ−１）に示す形状を有する装着部１の場合には、符号Ｎにおける位置において、装着部１の外周面１４の直径（図８（ａ−１）に示すＭの距離）が最大となる。
次に、符号Ｎにおける位置での、図８（ａ−２）に示すような（略真円である）切断面の形状の情報を得る。
ここで、装着部１の中心点Ｏから外周面１４までの半径距離（図８（ａ−２）に示す矢印Ｐの距離）は、歯科用ハンドピース４０の把持部４１の一般的な大きさを考慮すると、４ｍｍ以上１２ｍｍ以下の範囲となる。
（２）次に、この切断面における装着部１の外周面１４に外接する正多角形を仮想的に描く。
すなわち、図８（ｂ）の破線で示すような、仮想の正多角形を決定する。仮想の正多角形を決定する際には、以下の表１を使用する。
なお、表１において、横の欄は、装着部１の中心点Ｏから外周面１４までの半径距離（図８（ａ−２）に示す矢印Ｐの距離）を表しており、そして、縦の欄は、正ｎ角形のｎの数値を表しており、更に、中央の欄は、正ｎ角形における一辺の長さ（つまり、図８（ａ−２）における頂点（Ｑ１）と頂点（Ｑ２）との距離（符号Ｒで示す距離））を表している。
ここで、表１（すなわち、上記Ｒと上記Ｐと上記ｎの数値との関係を示した表）は、下記の数式に基づいて作成されている（なお、この式は、一般的な式である）：
Ｒ＝２＊Ｐ＊ｔａｎ（π／ｎ）。
【００１９】
【表１】
2020146094.tif 000003
【００２０】
上記表１は、以下のようにして使用する。
（Ａ）最初に、歯科用ハンドピース４０の把持部４１の大きさを考慮して、横の欄におけるＰの数値を決定する。
（Ｂ）次に、そのＰの数値において、中央の欄（＝Ｒ）の数値が３．０ｍｍ〜５．０ｍｍである欄を確認する。
（Ｃ）最後に、その範囲を含む欄における（縦の欄である）正ｎ角形のｎの数値を決定する。
なお、上記（Ｂ）における３．０ｍｍ〜５．０ｍｍの範囲は、滑り止め小片２どうしの間の空間に対して親指の腹、人差し指の腹、及び中指の背を配置した際に、持ち手の心地良さを感じる範囲である。一方、３．０ｍｍで未満では、指を配置することが困難となる恐れがある。また、５．０ｍｍを超えると、滑り止め具１０の滑り止め効果と指の固定感とが得られない。
ここで、表１は、例えば、以下のようにして具体的に使用される。
（ａ）最初に、歯科用ハンドピース４０の把持部４１の大きさを考慮して、横の欄におけるＰの数値を４として決定する。
（ｂ）次に、そのＰの数値（＝４）において、中央の欄（＝Ｒ）が３．０ｍｍ〜５．０ｍｍの範囲である欄（４．６１９，３．８５３，３．３１４）を確認する。
（ｃ）最後に、その範囲を含む欄における（縦の欄である）ｎの数値（６，７，８（角形））を決定する。
ここで、正ｎ角形のｎの数値は、滑り止め具を３本の指で把持することを考慮すると、３の倍数であることが好ましい。また、平坦な台から滑り止め具を２本の指でつまみ上げることを考慮すると、滑り止め小片の数は、２の倍数であることが好ましい。つまり、滑り止め小片の数は、３の倍数と２の倍数との公倍数である６，１２，１８がより好ましい数値となる。
また、正ｎ角形のｎの数値は、転がり防止の観点から、小さい数値が好ましい。この理由としては、正ｎ角形のｎの数値が高いほど、正ｎ角形の形状が球に近づき、転がりやすくなるからである。
特に、把持し易さ、つまみ易さ、及び転がり防止のすべてを考慮すると、３の倍数と２の倍数との公倍数であり、かつ正ｎ角形のｎの数値が小さいものがより好ましい。
まとめると、Ｐの数値が４である場合には、正六角形がより好ましい。
【００２１】
（３）最後に、滑り止め小片２の配置位置を決定する。
図９（ａ）及び図９（ｂ）に示すように、装着部１の中心点Ｏから（仮想の）正ｎ角形の頂点Ｑまでの（仮想の）等分割線Ｓの線上において、滑り止め小片２の外周面２４を一部に含む仮想真円（破線と実線で表された仮想真円Ｕ１）の中心点Ｔが配置されるように、滑り止め小片２が配置されている。なお、図９（ｂ）は、図９（ａ）の一部拡大図である。
ここで、滑り止め小片２の最頂点Ｖ１は、図９（ｂ）に示すように、（仮想の）正ｎ角形の頂点Ｑに配置されている。
また、仮想真円Ｕ１の中心点Ｔを（仮想の）等分割線Ｓの線上に配置させた状態で、仮想真円Ｕ１の中心点Ｔの位置を変更したり（具体的には、外側又は内側に移動したり）及び／又は仮想真円Ｕ１の大きさを拡大若しくは縮小したりして、（仮想の）等分割線Ｓを（仮想の）正ｎ角形の頂点Ｑから更に延長した線（図９（ｂ）に示す一点鎖線Ｙ）上において滑り止め小片２の最頂点Ｖ２が配置されるように、滑り止め小片２を配置することもできる。
例えば、仮想真円Ｕ１の大きさを変更せずに、仮想真円Ｕ１の中心点Ｔの位置を外側に移動した場合には、図９（ｂ）における（破線のみで表された）仮想真円Ｕ２に示すように、滑り止め小片２が配置される。
このように、滑り止め小片２の最頂点は、（仮想の）正ｎ角形の頂点Ｑの外側に配置されている。
一方、滑り止め小片２の最頂点が、図１０に示すように（仮想の）正ｎ角形の頂点Ｑの内側に配置されると、平坦な治療台と装着部１の外周面１４とが接触してしまうので転がりを防止することができない。
【００２２】
滑り止め小片２は、（仮想の）正ｎ角形の形状に基づいて、配置されている。
【００２３】
滑り止め小片の高さ、すなわち、装着部１の外周面１４と滑り止め小片２の最頂点Ｖ１との距離（図９（ｂ）に示す矢印Ｘの距離）は、１ｍｍ以下であることが好ましい。
また、装着部１の外周面１４と滑り止め小片２の最頂点Ｖ２との距離も、１ｍｍ以下であることが好ましい。
１ｍｍを超えると、把持した際に滑り止め小片２を邪魔に感じてしまう恐れがある。
【００２４】
装着部１の外周面１４から露出する滑り止め小片２についての短手方向の長さ（図９（ｂ）に示す矢印Ｗの距離）は、０．５ｍｍ〜１．５ｍｍが好ましい。
【００２５】
滑り止め小片の高さ（例えば滑り止め小片２の最頂点が（仮想の）正ｎ角形の頂点Ｑに配置されている場合には、図９（ｂ）に示す矢印Ｘの距離）は、仮想真円の直径に対して、１／２以下であることが好ましい。１／２を超えると、滑り止め小片２が装着部１の外周面１４からもげてしまう。
【００２６】
図１１は、表１を使用して、６個の滑り止め小片を配置した図である。
図１１（ａ）は正面図であり、図１１（ｂ）は背面図であり、図１１（ｃ）は平面図であり、図１１（ｄ）は右側面図であり、図１１（ｅ）は斜視図であり、そして図１１（ｆ）は使用状態を示す参考斜視図である。
本発明の特徴の１つである滑り止め小片を実線で示しており、その他を破線で示している。
【００２７】
図１２は、表１を使用して、１２個の滑り止め小片を配置した図である。
図１２（ａ）は正面図であり、図１２（ｂ）は背面図であり、図１２（ｃ）は平面図であり、図１２（ｄ）は右側面図であり、図１２（ｅ）は斜視図であり、そして図１２（ｆ）は使用状態を示す参考斜視図である。
本発明の特徴の１つである滑り止め小片を実線で示しており、その他を破線で示している。
【００２８】
図１３は、表１を使用して、１８個の等分点において１８個の滑り止め小片を配置した図である。
図１３（ａ）は正面図であり、図１３（ｂ）は背面図であり、図１３（ｃ）は平面図であり、図１３（ｄ）は右側面図であり、図１３（ｅ）は斜視図であり、そして図１３（ｆ）は使用状態を示す参考斜視図である。
本発明の特徴の１つである滑り止め小片を実線で示しており、その他を破線で示している。
【符号の説明】
【００２９】
１・・・装着部；２・・・滑り止め小片；１０・・・滑り止め具；
１２・・・装着用開口部；１３・・・内周面；１４・・・装着部の外周面； 
２０・・・長手方向中心点；２４・・・滑り止め小片の外周面；  
４０・・・歯科用ハンドピース；４１・・・把持部；４３・・・本体部；
４５・・・スケーリングチップ；５０・・・従来の歯科用ハンドピース；
５１・・・従来の把持部；５３・・・従来の本体部；５５・・・従来のヘッド部；
【図１】
2020146094.tif 000004
【図２】
2020146094.tif 000005
【図３】
2020146094.tif 000006
【図４】
2020146094.tif 000007
【図５】
2020146094.tif 000008
【図６】
2020146094.tif 000009
【図７】
2020146094.tif 000010
【図８】
2020146094.tif 000011
【図９】
2020146094.tif 000012
【図１０】
2020146094.tif 000013
【図１１】
2020146094.tif 000014
【図１２】
2020146094.tif 000015
【図１３】
2020146094.tif 000016
【図１４】
2020146094.tif 000017